【事件の表示】
　特許第３１１２５９０号「プリンタ装置及びこれに用いるカード固定用台紙」の請求項１ないし９に係る特許に対する特許異議の申立てについて、次のとおり決定する。
【結　論】
　訂正を認める。
　特許第３１１２５９０号の請求項１ないし２に係る特許を維持する。
【理　由】
［１］手続の経緯
　本件特許３１１２５９０号の請求項１ないし１６に係る発明は、平成５年１月２９日に特許出願され、平成１２年９月２２日にその特許の設定登録がなされ、その後、上記特許の請求項１ないし９に係る発明に対して、遠藤寛次より特許異議の申立がなされ、取消理由が通知され、その指定期間内である平成１３年１０月２２日に訂正請求がなされたものである。
　
［２］訂正の適否についての判断
［２−１］訂正の内容
　特許権者が求めている訂正の内容は、以下のとおりの訂正事項である。
（１）訂正事項ａ
　特許請求の範囲の請求項１の記載を、
「【請求項１】　ビデオメモリに格納された画像データを画面表示するモニタ部と、第１の印画モードにおいて、該モニタ部の表示画像の任意の領域を所定サイズの用紙内における一部の領域に予め設定される矩形状の第１の印画領域に印画し、第２の印画モードにおいて、前記表示画像全体を前記用紙の略全体の第２の印画領域に印画するプリント部と、前記第１の印画モードが指定された場合、前記モニタ部の表示画面上に、前記第１の印画領域に相似形のカーソルを、任意の角度に回転、拡大、縮小、および移動可能に表示することにより印画範囲を画定する印画範囲画定手段と、前記印画範囲画定手段により画定された印画範囲に対応する画像データを前記ビデオメモリから読み出し、座標回転、拡大、および／または縮小処理を行うことにより、前記第１の印画領域に印画可能に加工処理された画像を前記第１の印画領域に印画するプリンタ装置。」と訂正する。
（２）訂正事項ｂ
　特許請求の範囲の請求項８の記載を、
「【請求項２】　用紙側に設けられた識別マークを検出する光センサをさらに備え、前記光センサにより検出される前記識別マークの有無に基づいて、第１の印画モード、または第２の印画モードの切替えを行うよう構成したことを特徴とする請求項１に記載のプリンタ装置。」と訂正し新たな請求項２とする。
（３）訂正事項ｃ
　異議の申立てのされていない請求項１０を、
「【請求項３】　ビデオメモリに格納された画像データを画面表示するモニタ部と、該モニタ部の表示画像を所定サイズの用紙内における一部の領域に予め設定される印画領域に印画するプリント部と、前記印画領域に印刷する印画範囲を前記モニタ部の表示画面上に移動可能に画定する画定手段とを備え、前記画定手段の前記画面上における表示または非表示の切換をプリント部に含まれるインクカートリッジに設けられた識別マークの有無に基づいて行うように構成したプリンタ装置。」と訂正し新たな請求項３とする。
（４）訂正事項ｄ
　異議の申立てのされていない請求項１１ないし１６について、それぞれの請求項における記載内容を変更せずに、新たな請求項４ないし９とする。
（５）訂正事項ｅ
　明細書の段落番号（０００６）の【課題を解決するための手段】を、
「【課題を解決するための手段】　本発明に係るプリンタ装置は、ビデオメモリに格納された画像データを画面表示するモニタ部と、第１の印画モードにおいて、該モニタ部の表示画像の任意の領域を所定サイズの用紙内における一部の領域に予め設定される矩形状の第１の印画領域に印画し、第２の印画モードにおいて、前記表示画像全体を前記用紙の略全体の第２の印画領域に印画するプリント部と、前記第１の印画モードが指定された場合、前記モニタ部の表示画面上に、前記第１の印画領域に相似形のカーソルを、任意の角度に回転、拡大、縮小、および移動可能に表示することにより印画範囲を画定する印画範囲画定手段と、前記印画範囲画定手段により画定された印画範囲に対応する画像データを前記ビデオメモリから読み出し、座標回転、拡大、および／または縮小処理を行うことにより、前記第１の印画領域に印画可能に加工処理された画像を前記第１の印画領域に印画するものであり、またビデオメモリに格納された画像データを画面表示するモニタ部と、該モニタ部の表示画像を所定サイズの用紙内における一部の領域に予め設定される印画領域に印画するプリント部と、前記印画領域に印刷する印画範囲を前記モニタ部の表示画面上に移動可能に画定する画定手段とを備え、前記画定手段の前記画面上における表示または非表示の切換をプリント部に含まれるインクカートリッジに設けられた識別マークの有無に基づいて行うように構成したものであり、またこのプリンタ装置に用いるカード固定用台紙は、定寸のカードの表面への印画を行うべく用いる前記識別マークをその表面に有するカード用固定台紙であって、前記用紙に対応するサイズを有し、前記印画領域に対応する位置に前記カードを位置決め保持する保持部を備えるものである。」と訂正する。
（６）訂正事項ｆ
　明細書の段落番号（００３５）の【発明の効果】を、
「【発明の効果】　以上詳述した如く本発明に係るプリンタ装置は、ビデオメモリに格納された画像データを画面表示するモニタ部と、第１の印画モードにおいて、該モニタ部の表示画像の任意の領域を所定サイズの用紙内における一部の領域に予め設定される矩形状の第１の印画領域に印画し、第２の印画モードにおいて、前記表示画像全体を前記用紙の略全体の第２の印画領域に印画するプリント部と、前記第１の印画モードが指定された場合、前記モニタ部の表示画面上に、前記第１の印画領域に相似形のカーソルを、任意の角度に回転、拡大、縮小、および移動可能に表示することにより印画範囲を画定する印画範囲画定手段と、前記印画範囲画定手段により画定された印画範囲に対応する画像データを前記ビデオメモリから読み出し、座標回転、拡大、および／または縮小処理を行うことにより、前記第１の印画領域に印画可能に加工処理された画像を前記第１の印画領域に印画するものであるので、モニタ部の表示画像の任意の部分を取り出して印刷することが可能となり、選択された印画モードにおいて表示画面の印画を行うことができ、カーソルを任意の角度に回転して印画範囲の画定を行うことができるとともに任意の角度に回転したカーソルにより画定された画像を上記第１の印画領域に適切に印画することができる。
　またビデオメモリに格納された画像データを画面表示するモニタ部と、該モニタ部の表示画像を所定サイズの用紙内における一部の領域に予め設定される印画領域に印画するプリント部と、前記印画領域に印刷する印画範囲を前記モニタ部の表示画面上に移動可能に画定する画定手段とを備え、前記画定手段の前記画面上における表示または非表示の切換をプリント部に含まれるインクカートリッジに設けられた識別マークの有無に基づいて行うように構成したものであるので、モニタ部の表示画像の任意の部分を取り出して印刷することが可能となり、インクカートリッジのプリンタ装置への装着時に該プリンタ装置側にてインクカートリッジに設けられた識別マークを検知させ、画定手段の表示画面上における表示または非表示の自動切換えを行うことができる。
　また、本発明に係るカード固定用台紙は、プリンタ装置に接続されるモニタ部の表示画面上に移動可能に印画範囲を画定する画定手段の前記表示画面上における表示または非表示の切換を行うための識別マークと、前記プリンタ装置に用いられる所定サイズの用紙よりも小なるサイズのカードを前記用紙の印画領域に対応する位置に配置するための保持部とを有するので、プリンタ装置に装着されたカード固定用台紙の識別マークの有無により表示画面上への画定手段の表示の切換を自動に行わせることができるので、使用者の利便性を高めることができる。」と訂正する。
　
［２−２］訂正の目的の適否、新規事項の有無及び拡張・変更の存否
（１）訂正事項ａについて
　訂正後の請求項１は、
　特許明細書の段落番号（００１０）〜（００１６）、（００２１）及び図４ないし８の記載に基いて、特許明細書の請求項１の「該モニタ部の表示画像を所定サイズの用紙上の印画領域に印画するプリント部」を、「第１の印画モードにおいて、該モニ夕部の表示画像の任意の領域を所定サイズの用紙内における一部の領域に予め設定される矩形状の第１の印画領域に印画し、第２の印画モードにおいて、前記表示画像全体を前記用紙の略全体の第２の印画領域に印画するプリント部」と限定し、
　特許明細書の段落番号（００１２）（００１３）（００１６）及び図６、７の記載に基いて、特許明細書の請求項１の「前記印画領域に印刷する印画範囲を前記モニタ部の表示画面上に移動可能に画定する画定手段」を、特許明細書の請求項２〜５の構成を合わせてさらに、「前記第１の印画モードが指定された場合、前記モニタ部の表示画面上に、前記第１の印画領域に相似形のカーソルを、任意の角度に回転、拡大、縮小、および移動可能に表示することにより印画範囲を画定する印画範囲画定手段」と限定し、
　特許明細書の段落番号（００１９）〜（００２１）の記載に基いて、特許明細書の請求項１の「プリント装置」に、特許明細書の請求項７の構成を合わせてさらに、「前記印画範囲画定手段により画定された印画範囲に対応する画像データを前記ビデオメモリから読み出し、座標回転、拡大、および／または縮小処理を行うことにより、前記第１の印画領域に印画可能に加工処理された画像を前記第１の印画領域に印画するプリンタ装置」と限定したものであるので、特許請求の範囲の減縮を行うものである。
（２）訂正事項ｂについて
　訂正後の請求項２は、特許明細書の段落番号（００１２）（００３０）の記載に基いて、特許明細書の請求項８に請求項９の構成を合わせてさらに、「用紙側に設けられた識別マークを検出する光センサ」を構成要件とし、「前記光センサにより検出される前記識別マークの有無に基づいて、第１の印画モード、または第２の印画モードの切替えを行うよう構成したことを特徴とする」と限定したものであるので、特許請求の範囲の減縮を行うものである。
（３）訂正事項ｃについて
　訂正後の請求項３は、異議の申立てのされていない請求項１０と、引用している請求項１及び請求項８とを合わせ、独立項である新たな請求項３としたもので、「所定サイズの用紙上の印画領域」という記載を、「所定サイズの用紙内における一部の領域に予め設定される印画領域」と訂正して明りょうでない記載の釈明を行うと共に、特許請求の範囲の減縮を行うものである。上記記載は訂正により明確となったので、特許法第３６条各項に規定する要件を満たしている。
（４）訂正事項ｄについて
　訂正後の請求項４ないし９は、異議の申立てのされていない特許明細書の請求項１１ないし１６について請求項の項番号のみを訂正したものである。
（５）訂正事項ｅについて
　特許請求の範囲の訂正にともない、課題を解決するための手段の項の、対応する箇所を訂正するものであり、明りょうでない記載の釈明に該当する。
（６）訂正事項ｆについて
　特許請求の範囲の訂正にともない、発明の効果の項の、対応する箇所を訂正するものであり、明りょうでない記載の釈明に該当する。
　よって、上記訂正（１）ないし（６）は、特許明細書の記載に基づいて、特許請求の範囲を更に限定し、特許請求の範囲の減縮または明りょうでない記載の釈明に該当するものであって、新規事項の追加に該当せず、実質的に特許請求の範囲を拡張又は変更するものではない。また、異議の申立てのされていない請求項の訂正後の請求項に係る発明は特許出願の際独立して特許を受けることができるものである。
　
［２−３］
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項に適合するので、当該訂正を認める。
　
［３］特許異議の申立についての判断
［３−１］申立の理由の概要
　申立人遠藤寛次は、証拠として、
　甲第１号証（特開昭６４−７７６６号公報、以下「刊行物１」という。）、
　甲第２号証（特開昭６１−２２４７９２号公報、以下「刊行物２」という。）、
　甲第３号証（特公平３−６１１７７号公報、以下「刊行物３」という。）、
　甲第４号証（特開平３−７０２８０号公報、以下「刊行物４」という。）、
　参考資料１（特開平４−２２３６８４号公報、以下「刊行物５」という。）、
　参考資料２（特開平２−５５１３８号公報、以下「刊行物６」という。）
　を提出し、特許請求の範囲の請求項１ないし９に係る発明についての特許は、特許法第２９条第２項の規定に違反してなされたものであるので、特許を取り消すべきものと主張している。また、請求項１の記載不備について指摘している。
　
［３−２］本件発明
　異議の対象である特許明細書の請求項１ないし９に係る発明は、上記訂正請求により請求項１ないし２に訂正されたので、訂正明細書の特許請求の範囲の請求項１ないし２に係る発明（以下、それぞれ「本件発明１ないし２」という。）は、その請求項１ないし２に記載されたとおりのものである。
「【請求項１】上記［２−１］の（１）のとおり。
【請求項２】上記［２−１］の（２）のとおり。」
　
［３−３］刊行物記載の発明
（１）　本件発明に対して、当審が通知した取消理由で引用した刊行物１には、「画像情報処理装置」に関して、
（１−１）「光ディスク装置３，マイクロリーダ４，イメージリーダ７等から画像データを読み出す・・・画像データに基づいてディスプレイ２に画像を表示し」（公報３頁右上欄１４〜１９行）、
（１−２）「所定情報を出力するプリンタ８を有する」（公報２頁右上欄１５〜１６行）、
（１−３）「画像を重ねて、はめ込み画像指定枠５２をディスプレイ２に表示する」（公報３頁右上欄１９〜２０行）、「画像指定枠５２を画面上で所望の位置に移動」（公報３頁左下欄５行）、
（１−４）「はめ込み画像指定枠５２は、はめ込み枠４３と等しい形状かまたはその相似形である」（公報３頁左上欄１２〜１３行、第４図）、「管理シート上に長方形等の枠を作り、この長方形の枠の中に画像データの一部をはめ込む」（公報１頁右下欄１１〜１３行）、
（１−５）「ポインテイングデバイス６を使用して、画像指定枠５２を画面上で所望の位置に移動し、また必要に応じて枠５２の大きさを拡大、縮小する」（公報３頁左下欄４〜７行）、「ポインティングデバイス６を使用して、縮小した縮小枠５２ａ、拡大した拡大枠５２ｂで表示する」（公報３頁左上欄１５行〜１８行）、「圧縮画像データが縮小枠５２ａからの画像であれば、その画像データを圧伸回路２９によって伸張し、拡大枠５２ｂからの画像であれば１／Ｎ縮小回路３２によってデータを間引いた後にはめ込む」（公報３頁右下欄１〜５行）と記載されている。
（２）　同じく引用した刊行物２には、「写真のビデオトリミング装置」に関して、
（２−１）「トリミング像を枠（２１ａ）及び（２１ｂ）に示すように横長にするか又は縦長にするかの選択用摘子（縦／横選択摘子）」（公報２頁右下欄７〜９行、第３図）が記載されている。
（３）　同じく引用した刊行物３には、「写真プリンタにおける原画のトリミング領域設定装置」に関して、
（３−１）「モニター１４に表示された画像の像と、トリミング領域を示す標線とを視認しながら、原画ホルダー６の位置を、前後左右に移動させ、あるいは水平面内で回転させて、原画内の所望の領域を、表示された標線に整合させ、ＴＶカメラ１０に代えて投影レンズ９を光軸に設置して、所望の倍率で露光すれば、所望のトリミングをした複製画像を露光することができる。」（公報５頁９欄４１行〜１０欄４行）、
（３−２）「各トリミングマスク枠２７の後縁には、それぞれ場所を異ならせて突起３８が形成され、本体２内に列設した適数個のスイッチ３９の、対応するものを作動させるようにしてある。これらのスイッチ３９から出力する信号は、制御回路１３を介してモニター１４に送られ、そのスイッチを作動させたトリミングマスク枠の開口に相当する寸法の標線をモニター１４に表示する。」（公報８欄１５〜２２行、第２図）と記載されている。
（４）　同じく引用した刊行物４には、「ハードコピー装置」に関して、
（４−１）「１７はプリントエリア可変をＯＮするか、ＯＦＦするかを決定するプリントエリアスイッチ」（公報３頁左上欄５〜７行）、「プリントエリアＳＷがＯＦＦであれば、わく発生手段を動作せず、画像メモリ７に記憶された信号のみを出力する。プリントエリアＳＷ１７をＯＮすると・・・わく線および画面表示とが合成された信号を出力する」（公報３頁左上欄１４〜２０行）と記載されている。
（５）　同じく引用した刊行物５には、「画像処理システム」に関して、ビデオカメラで撮影した画像と印刷領域を示すマークをモニタ上に表示し、そのマークは領域移動ボタンにより任意に移動可能であり、領域内の画像をプリンタで印刷する旨が記載されている。
（６）　同じく引用した刊行物６には、「映像プリンタ」に関して、表示画面を見ながらプリント範囲を指定し、その範囲をメモリに書き込み、これを読み出してプリントすることにより、テレフォンカードのような所望の大きさの用紙に印刷を行う旨が記載されている。
　
［３−４］対比・判断
［３−４−１］本件発明１
　本件発明１と刊行物１に記載された発明とを対比すると、刊行物１の「ディスプレイ」「プリンタ」「はめ込み枠４３」「はめ込み画像指定枠５２」「画像情報処理装置」は、それぞれ本件発明１の「モニタ部」「プリント部」「印画領域」「印画範囲」「プリンタ装置」に相当している。
　本件発明１と刊行物１に記載された発明は、「メモリに格納された画像データを画面表示するモニタ部と、該モニタ部の表示画像の任意の領域を矩形状の印画領域に印画するプリント部と、前記モニタ部の表示画面上に、前記印画領域に相似形のカーソルを、拡大、縮小可能に表示することにより印画範囲を画定する印画範囲画定手段と、前記印画範囲画定手段により画定された印画範囲に対応する画像データを拡大または縮小処理を行うことにより、前記印画領域に印画可能に加工処理された画像を前記印画領域に印画するプリンタ装置。」であるという基本的な点で共通している。
　しかしながら、本件発明１は、上記「プリンタ部」が「第１の印画モードにおいて、該モニタ部の表示画像の任意の領域を所定サイズの用紙内における一部の領域に予め設定される矩形状の第１の印画領域に印画し、第２の印画モードにおいて、前記表示画像全体を前記用紙の略全体の第２の印画領域に印画する」２つの印画モードを備える構成（以下「構成Ａ」という。）、上記「印画範囲画定手段」が「前記第１の印画モードが指定された場合、前記第１の印画領域に相似形のカーソルを、任意の角度に回転可能に表示することにより印画範囲を画定」する構成（以下、「構成Ｂ」という）、及び「前記印画範囲画定手段により画定された印画範囲に対応する画像データを前記ビデオメモリから読み出し、座標回転処理を行う」構成（以下、「構成Ｃ」という。）を、必須の構成要件とするのに対して、刊行物１には、上記構成ＡＢＣのいずれも記載されておらず、示唆もない。
　刊行物２には、上記構成Ｂのうち、カーソルの横長・縦長を選択することは記載されているが、任意の角度に回転可能に表示するものではないので、上記構成ＡＢＣのいずれも記載されておらず示唆もない。
　刊行物３には、上記構成ＡＣのいずれも記載されておらず、上記構成Ｂに関連して、原画ホルダーを回転することは記載されているが、原画ホルダーの回転に係る技術を刊行物１のカーソルの技術に適用しても構成Ｂに至ることは容易ではない。
　刊行物４には、上記構成ＡＢＣのいずれも記載されておらず、示唆もない。
  刊行物５には、上記構成ＡＢＣのいずれも記載されておらず、示唆もない。
　刊行物６には、上記構成ＡＢＣのいずれも記載されておらず、示唆もない。
　上記構成ＡＢＣについて、いずれの刊行物にも記載されておらず、刊行物１〜６に記載されたものを組み合わせても具体的な構成ＡＢＣを得ることはできない。そして、上記構成ＡＢＣにより、「モニタ部の表示画像の任意の部分を取り出して印刷することが可能となり、選択された印画モードにおいて表示画面の印画を行うことができ、カーソルを任意の角度に回転して印画範囲の画定を行うことができるとともに任意の角度に回転したカーソルにより画定された画像を上記第１の印画領域に適切に印画することができる」という明細書記載の顕著な効果を奏している。
　よって、本件発明１は刊行物１〜６に記載された発明に基づいて容易に発明をすることができたものではない。
　
［３−４−２］本件発明２
　本件発明２は、請求項１である本件発明１を引用するものであるので、上記［３−４−１］と同様の理由により、刊行物１〜６に記載された発明に基づいて容易に発明をすることができたものではない。
　
［３−５］記載不備
　特許明細書の請求項１の記載「所定サイズの用紙上の印画領域」については、訂正請求により「所定サイズの用紙内における一部の領域に予め設定される矩形状の第１の印画領域」と訂正され、訂正後の訂正明細書の請求項１の記載は、明確であるので、特許法第３６条第５項に規定する要件を満たしている。
　
［４］むすび
　以上のとおりであるから、特許異議申立の理由及び証拠によっては、本件請求項１ないし２に係る発明の特許を取り消すことはできない。
　また、他に本件請求項１ないし２に係る発明の特許を取り消すべき理由を発見しない。
　よって、結論のとおり決定する。
【異議決定日】
平成１３年１１月５日（２００１．１１．５）
【訂正の要旨】
（１）訂正事項ａ
　特許請求の範囲の請求項１の記載を、
「【請求項１】　ビデオメモリに格納された画像データを画面表示するモニタ部と、第１の印画モードにおいて、該モニタ部の表示画像の任意の領域を所定サイズの用紙内における一部の領域に予め設定される矩形状の第１の印画領域に印画し、第２の印画モードにおいて、前記表示画像全体を前記用紙の略全体の第２の印画領域に印画するプリント部と、前記第１の印画モードが指定された場合、前記モニタ部の表示画面上に、前記第１の印画領域に相似形のカーソルを、任意の角度に回転、拡大、縮小、および移動可能に表示することにより印画範囲を画定する印画範囲画定手段と、前記印画範囲画定手段により画定された印画範囲に対応する画像データを前記ビデオメモリから読み出し、座標回転、拡大、および／または縮小処理を行うことにより、前記第１の印画領域に印画可能に加工処理された画像を前記第１の印画領域に印画するプリンタ装置。」と訂正する。
（２）訂正事項ｂ
　特許請求の範囲の請求項８の記載を、
「【請求項２】　用紙側に設けられた識別マークを検出する光センサをさらに備え、前記光センサにより検出される前記識別マークの有無に基づいて、第１の印画モード、または第２の印画モードの切替えを行うよう構成したことを特徴とする請求項１に記載のプリンタ装置。」と訂正し新たな請求項２とする。
（３）訂正事項ｃ
　異議の申立てのされていない請求項１０を、
「【請求項３】　ビデオメモリに格納された画像データを画面表示するモニタ部と、該モニタ部の表示画像を所定サイズの用紙内における一部の領域に予め設定される印画領域に印画するプリント部と、前記印画領域に印刷する印画範囲を前記モニタ部の表示画面上に移動可能に画定する画定手段とを備え、前記画定手段の前記画面上における表示または非表示の切換をプリント部に含まれるインクカートリッジに設けられた識別マークの有無に基づいて行うように構成したプリンタ装置。」と訂正し新たな請求項３とする。
（４）訂正事項ｄ
　異議の申立てのされていない請求項１１ないし１６について、それぞれの請求項における記載内容を変更せずに、新たな請求項４ないし９とする。
（５）訂正事項ｅ
　明細書の段落番号（０００６）の【課題を解決するための手段】を、
「【課題を解決するための手段】　本発明に係るプリンタ装置は、ビデオメモリに格納された画像データを画面表示するモニタ部と、第１の印画モードにおいて、該モニタ部の表示画像の任意の領域を所定サイズの用紙内における一部の領域に予め設定される矩形状の第１の印画領域に印画し、第２の印画モードにおいて、前記表示画像全体を前記用紙の略全体の第２の印画領域に印画するプリント部と、前記第１の印画モードが指定された場合、前記モニタ部の表示画面上に、前記第１の印画領域に相似形のカーソルを、任意の角度に回転、拡大、縮小、および移動可能に表示することにより印画範囲を画定する印画範囲画定手段と、前記印画範囲画定手段により画定された印画範囲に対応する画像データを前記ビデオメモリから読み出し、座標回転、拡大、および／または縮小処理を行うことにより、前記第１の印画領域に印画可能に加工処理された画像を前記第１の印画領域に印画するものであり、またビデオメモリに格納された画像データを画面表示するモニタ部と、該モニタ部の表示画像を所定サイズの用紙内における一部の領域に予め設定される印画領域に印画するプリント部と、前記印画領域に印刷する印画範囲を前記モニタ部の表示画面上に移動可能に画定する画定手段とを備え、前記画定手段の前記画面上における表示または非表示の切換をプリント部に含まれるインクカートリッジに設けられた識別マークの有無に基づいて行うように構成したものであり、またこのプリンタ装置に用いるカード固定用台紙は、定寸のカードの表面への印画を行うべく用いる前記識別マークをその表面に有するカード用固定台紙であって、前記用紙に対応するサイズを有し、前記印画領域に対応する位置に前記カードを位置決め保持する保持部を備えるものである。」と訂正する。
（６）訂正事項ｆ
　明細書の段落番号（００３５）の【発明の効果】を、
「【発明の効果】　以上詳述した如く本発明に係るプリンタ装置は、ビデオメモリに格納された画像データを画面表示するモニタ部と、第１の印画モードにおいて、該モニタ部の表示画像の任意の領域を所定サイズの用紙内における一部の領域に予め設定される矩形状の第１の印画領域に印画し、第２の印画モードにおいて、前記表示画像全体を前記用紙の略全体の第２の印画領域に印画するプリント部と、前記第１の印画モードが指定された場合、前記モニタ部の表示画面上に、前記第１の印画領域に相似形のカーソルを、任意の角度に回転、拡大、縮小、および移動可能に表示することにより印画範囲を画定する印画範囲画定手段と、前記印画範囲画定手段により画定された印画範囲に対応する画像データを前記ビデオメモリから読み出し、座標回転、拡大、および／または縮小処理を行うことにより、前記第１の印画領域に印画可能に加工処理された画像を前記第１の印画領域に印画するものであるので、モニタ部の表示画像の任意の部分を取り出して印刷することが可能となり、選択された印画モードにおいて表示画面の印画を行うことができ、カーソルを任意の角度に回転して印画範囲の画定を行うことができるとともに任意の角度に回転したカーソルにより画定された画像を上記第１の印画領域に適切に印画することができる。
　またビデオメモリに格納された画像データを画面表示するモニタ部と、該モニタ部の表示画像を所定サイズの用紙内における一部の領域に予め設定される印画領域に印画するプリント部と、前記印画領域に印刷する印画範囲を前記モニタ部の表示画面上に移動可能に画定する画定手段とを備え、前記画定手段の前記画面上における表示または非表示の切換をプリント部に含まれるインクカートリッジに設けられた識別マークの有無に基づいて行うように構成したものであるので、モニタ部の表示画像の任意の部分を取り出して印刷することが可能となり、インクカートリッジのプリンタ装置への装着時に該プリンタ装置側にてインクカートリッジに設けられた識別マークを検知させ、画定手段の表示画面上における表示または非表示の自動切換えを行うことができる。
　また、本発明に係るカード固定用台紙は、プリンタ装置に接続されるモニタ部の表示画面上に移動可能に印画範囲を画定する画定手段の前記表示画面上における表示または非表示の切換を行うための識別マークと、前記プリンタ装置に用いられる所定サイズの用紙よりも小なるサイズのカードを前記用紙の印画領域に対応する位置に配置するための保持部とを有するので、プリンタ装置に装着されたカード固定用台紙の識別マークの有無により表示画面上への画定手段の表示の切換を自動に行わせることができるので、使用者の利便性を高めることができる。」と訂正する。
（５４）【発明の名称】
プリンタ装置及びこれに用いるカード固定用台紙
（５７）【特許請求の範囲】
　【請求項１】　ビデオメモリに格納された画像データを画面表示するモニタ部と、
第１の印画モードにおいて、
の任意の領域
内における一部の領域に予め設定される矩形状の第１の印画領域に印画し、
第２の印画モードにおいて、前記表示画像全体を前記用紙の略全体の第２
前記第１の印画モードが指定された場合、
、前記第１の印画領域に相似形のカーソルを、任意の角度に回転、拡大、縮小、および
表示することにより印画範囲を
印画範囲
前記印画範囲画定手段により画定された印画範囲に対応する画像データを前記ビデオメモリから読み出し、座標回転、拡大、および／または縮小処理を行うことにより、前記第１の印画領域に印画可能に加工処理された画像を前記第１の印画領域に印画する
　【請求項２】　
用紙側に設けられた識別マークを検出する光センサをさらに備え、前記光センサにより検出される前記識別マークの有無に基づいて、第１の印画モード、または第２の印画モードの切替えを行うよう構成したことを
　【請求項３】　
ビデオメモリに格納された画像データを画面表示するモニタ部と、
該モニタ部の表示画像を所定サイズの用紙内における一部の領域に予め設定される印画領域に印画するプリント部と、
前記印画領域に印刷する印画範囲を前記モニタ部の表示画面上に移動可能に画定する画定手段とを備え、
前記画定手段の前記画面上における表示または非表示の切換をプリント部に含まれるインクカートリッジに設けられた識別マークの有無に基づいて行うように構成した
　【請求項４】　
プリンタ装置に接続されるモニタ部の表示画面上に移動可能に印画範囲を画定する画定手段の前記表示画面上における表示または非表示の切換を行うための識別マークと、前記プリンタ装置に用いられる所定サイズの用紙よりも小なるサイズのカードを前記用紙の印画領域に対応する位置に配置するための保持部とを有するカード固定用台紙
　【請求項５】　
前記保持部を除く他の表面への印画が可能に構成してある請求項４に記載のカード固定用台紙
　【請求項６】　
その表面への印刷により前記保持部を画定してある請求項４または請求項５に記載のカード固定用台紙
　【請求項７】　
前記保持部は、前記カードに対応する形状をなし、その底に粘着層を有する凹所を備え、該凹所に嵌め込まれたカードを前記粘着層に粘着保持する請求項４または請求項５に記載のカード固定用台紙
　【請求項８】　
ベース層と、該ベース層上の粘着層と、該粘着層上に剥離可能に被着された表面層とを有する多層構造をなし、該表面層の一部を切り欠いて前記粘着層を露出させ、前記凹所を構成してある請求項７に記載のカード固定用台紙
　【請求項９】　
前記保持部は、その一部に前記カードの外形に設けられた凹部と適合するような凸部を含んで規定される請求項４ないし請求項８のいずれかに記載のカード固定用台紙
【発明の詳細な説明】
　【０００１】
　【産業上の利用分野】
　本発明は、各種のプリペイドカードの表面に適宜の画像を印画し得るプリンタ装置、及びこの印画に用いるカード固定用台紙に関する。
　【０００２】
　【従来の技術】テレフォンカード、オレンジカード等のプリペイドカードは、本来白地のカード表面に、景色、動物、花等の印象的な画像、各種の絵、及び文字によるメッセージを印画することにより、実用性を兼ねた広告媒体及び各種の記念品としての用途に広く用いられている。
　【０００３】
　【発明が解決しようとする課題】
　ところがこの種のカードヘの印画は、従来、印刷メーカーでの多数枚を一単位とする印刷に委ねられており、個人又は個人に近いレベルでの広告媒体又は記念品としての利用に際しては、多大の出費を伴う上、印画内容の選択範囲が限定される等の難点があった。
　【０００４】
　一方、各種の画像を個人的に得るためのプリンタ装置として、ビデオプリンタが実用化されている。これは、ビデオによる再生画像を適宜に停止し、この画像データをビデオメモリに格納しておき、モニタ部への画像表示を行うと共に、プリント部の動作により、前記表示画像を所定の用紙上に印画する構成としたものであり、この種のプリンタ装置を前述したカードヘの印画に用いることが考えられる。ところが従来のビデオプリンタは、使用できる印画用紙のサイズが限定され、またこの用紙上での印画サイズも限定されることから、前述した如きカードへの印画にこの種のプリンタ装置を用いることはできない。
　【０００５】
　本発明は斯かる事情に鑑みてなされたものであり、各種プリペイドカードの表面への適宜の画像の印画を、個人又は個人に近いレベルにおいて容易に行い得るプリンタ装置、及びこの印画のための補助手段として用いるカード固定用台紙を提供することを目的とする。
　【０００６】
　【課題を解決するための手段】
　本発明に係るプリンタ装置は、ビデオメモリに格納された画像データを画面表示するモニタ部と、
第１の印画モードにおいて、
の任意の領域
内における一部の領域に予め設定される矩形状の第１の印画領域に印画し、第２の印画モードにおいて、前記表示画像全体を前記用紙の略全体の第２
前記第１の印画モードが指定された場合、
、前記第１の印画領域に相似形のカーソルを、任意の角度に回転、拡大、縮小、および
表示することにより印画範囲を
印画範囲
前記印画範囲画定手段により画定された印画範囲に対応する画像データを前記ビデオメモリから読み出し、座標回転、拡大、および／または縮小処理を行うことにより、前記第１の印画領域に印画可能に加工処理された画像を前記第１の印画領域に印画する
またビデオメモリに格納された画像データを画面表示するモニタ部と、該モニタ部の表示画像を所定サイズの用紙内における一部の領域に予め設定される印画領域に印画するプリント部と、前記印画領域に印刷する印画範囲を前記モニタ部の表示画面上に移動可能に画定する画定手段とを備え、前記画定手段の前記画面上における表示または非表示の切換をプリント部に含まれるインクカートリッジに設けられた識別マークの有無に基づいて行うように構成したものであり、
　【０００７】
　【作用】
　本発明においては、ビデオメモリに格納された画像データのモニタ部における表示画面上に印画範囲を移動可能に画定する画定手段により画定し、この画定された範囲の画像が、この画定に際しての移動、縮小、拡大及び回転に応じて加工されてプリント部に与えられ、カード固定台紙上の印画領域、即ち、カード固定用台紙に保持されたカードの表面に印画される。
　【０００８】
　【実施例】
　以下本発明をその実施例を示す図面に基づいて詳述する。図１は本発明に係るプリンタ装置の第１実施例を示すブロック図、図２は本発明に係るプリンタ装置の外観を示す斜視図である。
　【０００９】
　図２に示す如く本発明に係るプリンタ装置は、本体部１と、該本体部１にケーブル１０を介して接続されたモニタ部２とを備えてなる。図１に示す如く本体部１は、中央処理装置としてのＣＰＵ３、外部から入力される画像信号を格納するビデオメモリ４、該ビデオメモリ４の格納データを読み出し、適宜の加工処理を施す画像データ処理部５、該画像データ処理部５により処理された画像データを格納するカードメモリ６、ビデオメモリ４又はカードメモリ６の格納データを後述する如く所定の形式で印画処理するプリント部７、及び操作部８を備えている。また前記モニタ部２は、本体部１の内側においてＣＰＵ３に接続されており、ビデオメモリ４に格納された画像データをＣＰＵ３からの動作指令に従って画面表示する構成となっている。
　【００１０】
　図３は操作部８の構成例を示す正面図である。図示の如く操作部８には、モニタ部２の表示画面を切り換えるための切換えスイッチ８０、プリント出力を指令するためのプリントスイッチ８１、印画像の明暗、色の濃淡、及び色あいを各別に調節する調節つまみ８２等、一般的なビデオプリンタに装備された操作手段と共に、本発明の特徴たる部分印画モード（カード印画モード）の指定のためのモード選択スイッチ８３が配されており、更に、モード選択スイッチ８３によりカード印画モードが選択された場合に夫々有効となる操作手段として、印画方向切換スイッチ８４、印画範囲移動スイッチ８５、印画範囲加工スイッチ８６、及びカーソル移動キー８７が備えられている。
　【００１１】
　以上の如く構成された操作部８の操作に応じてＣＰＵ３は、出力側に接続されたビデオメモリ４、画像データ処理部５、カードメモリ６及びプリント部７に動作指令を発する。モード選択スイッチ８３によりビデオ印画モードが選択された場合のＣＰＵ３の動作は、一般的なビデオプリンタにおけるそれと同様である。即ちＣＰＵ３は、画面切換えスイッチ８０の操作に応じてビデオメモリ４に格納された一画面分又は複数画面分の画像データを読み出し、これをモニタ部２に出力して、該モニタ部２の画面上に表示せしめ、また、プリントスイッチ８１の操作に応じて、応する画像データの出力指令をビデオメモリ４に発し、同時にプリント部７にプリント指令を発する。このプリント指令に応じてプリント部７は、本体部１前側の用紙挿入口１１（図２参照）から内部に装着される所定サイズの印画用紙１２（図８参照）に、ビデオメモリ４から与えられる画像データに従って印画する動作をなし、この動作により、モニタ部２の表示画面に対応するプリントが、前記印画用紙１２の所定の印画領域１４（図８参照）内に形成される。
　【００１２】
　一方、モード選択スイッチ８３によりカード印画モードが選択された場合、ＣＰＵ３は、ビデオメモリ４に格納された画像データを読み出し、この画像データに対応する画像をモニタ部２の全面に画面表示せしめると同時に、この画面上にて印画範囲を画定するための基準カーソル２０を表示せしめる動作をなす。このときのモニタ部２の表示例を図４ないし図７に示す。
　【００１３】
　基準カーソル２０は、これらの図中に実線により示す如く、基本的には、モニタ部２の画面上の所定位置に、印画対象となるカードのそれに対応する所定の縦横比を有する所定サイズの矩形をなして表示されるが、このカーソルは、操作部８における印画方向切換スイッチ８４、印画範囲移動スイッチ８５、及び印画範囲加工スイッチ８６の操作に応じて、夫々次の如く変更される。
　【００１４】
　図４は、印画方向切換スイッチ８４の操作に伴うカーソル表示の変化を示している。印画方向切換スイッチ８４は、図３に示す如く、「横」及び「縦」の２つの切換位置を有しており、前記基準カーソル２０は、「横」側への切換えがなされている場合に表示され、「縦」側への切換えがなされた場合、モニタ部２の画面上には、基準カーソル２０を中心点回りに９０°回転せしめた縦長の矩形形状をなす縦カーソル２１が、図中に破線により示す如く表示される。
　【００１５】
　図５は、印画範囲移動スイッチ８５の操作に伴うカーソル表示の変化を示している。印画範囲移動スイッチ８５は、図３に示す如く、「切」及び「入」の２つの切換位置を有しており、「入」側への切換えにより印画範囲の移動が可能な状態となり、この後モニタ部２の画面上には、カーソル移動キー８７の操作に応じて基準カーソル２０を上下及び左右に適宜に移動せしめた移動カーソル２２が、図中に破線にて示す如く表示される。
　【００１６】
　図６及び図７は、印画範囲加工スイッチ８６の操作に伴うカーソル表示の変化を示している。印画範囲加工スイッチ８６は、図３に示す如く、「切」及び「入」の２つの切換位置を有しており、「入」側への切換えにより、カーソルにより画定される印画範囲の加工、即ち、拡大、縮小及び回転が可能な状態となり、このときモニタ部２の画面上には、例えば、カーソル移動キー８７の上移動キー又は下移動キーの操作に応じて、基準カーソル２０を拡大せしめた拡大カーソル２３又は縮小せしめた縮小カーソル２４が、図６中に破線にて示す如く表示され、更に、カーソル移動キー８７の左移動キ又は右移動キーの操作に応じて、基準カーソル２０を中心点回りに左回転又は右回転せしめた左回転カーソル２５又は右回転カーソル２６が、図７中に破線にて示す如く表示される。
　【００１７】
　以上の如き基準カーソル２０の移動と、基準カーソル２０の拡大、縮小及び回転とは、印画範囲移動スイッチ８５及び印画範囲加工スイッチ８６の「入」操作と、夫々に続くカーソル移動キー８７の操作とにより並行して行うことができ、これらの操作により、モニタ部２の表示画面上に適宜に印画範囲を画定することが可能となる。ＣＰＵ３は、以上の如く画定される印画範囲を認識しており、この画定終了後に行われるプリントスイッチ８１の操作に応じて画像データ処理部５に動作指令を発し、同時にプリント部７にプリント指令を発する。
　【００１８】
　画像データ処理部５への動作指令は、画定された印画範囲のデータと共に与えられ、画像データ処理部５は、ビデオメモリ４に格納された画像データから印画範囲に対応する部分の画像データのみを読み出してカードメモリ６に与え、該カードメモリ６は、この画像データを格納すると共に、ＣＰＵ３からの出力指令に従ってプリンタ部７に出力する動作をなし、該プリンタ部７は、ＣＰＵ３からプリント指令に従ってカードメモリ６から与えられる画像データに対応する画像を印画用紙１２に印画する。
　【００１９】
　操作部８の印画方向切換スイッチ８４、印画範囲移動スイッチ８５、印画範囲加工スイッチ８６、及びカーソル移動キー８７の操作が行われていない場合、画像データ処理部５の動作は、ビデオメモリ４から基準カーソル２０内部の画像データを読み出し、これをそのままカードメモリ６に格納せしめるべく行われるが、前記操作が行われ、縦カーソル２１、移動カーソル２２、拡大カーソル２３、縮小カーソル２４、左回転カーソル２５、右回転カーソル２６、又はこれらを組み合わせてなるカーソルが、モニタ部２の画面上に指定されている場合、画像データ処理部５の動作は、動作時点での表示カーソルの内部に対応する画像データをビデオメモリ４から読み出し、これを基準カーソル２０の位置及びサイズに対応する画像データに加工処理してカードメモリ６に与えるべく行われ、カードメモリ６には、この加工後の画像データが格納される。
　【００２０】
　例えば、モニタ部２の画面上に拡大カーソル２３が指定されている場合、画像データ処理部５においては、ビデオメモリ４から読み出した画像データの縮小処理が行われ、逆に縮小カーソル２４が指定されている場合、画像データの拡大処理が行われ、更に、縦カーソル２１又は左，右回転カーソル２５，２６が指定されている場合、画像処理部５においては、ビデオメモリ４から読み出した画像データの座標変換処理が行われる。
　【００２１】
　図８は、以上の如く行われるカード印画モードでの印画状態を示す平面図である。図示の如く、カード印画モードでの印画領域１３は、印画用紙１２の略全面に亘るビデオ印画モードでの印画領域１４内において、モニタ部２の画面上での基準カーソル２０による画定範囲に対応するように予め設定してあり、カード印画モードでの印画は、カードメモリ６の格納データに対応する画像を前記印画領域１３内にプリントすべく行われる。
　【００２２】
　この結果、基準カーソル２０が指定されている場合、印画領域１３には図８（ａ）に示す如き印画が行われるのに対し、例えば、図４に示す縦カーソル２１の指定が行われている場合、印画領域１３には、図８（ｂ）に示す如く、縦カーソル２１による画定範囲を横倒ししてなる印画像が得られ、また図６に示す縮小カーソル２４の指定が行われている場合、印画領域１３には、図８（ｃ）に示す如く、縮小カーソル２４による画定範囲を拡大してなる印画像が得られる。
　【００２３】
　以上の如く本発明に係るプリンタ装置においては、印画用紙１２の表面に予め設定された印画領域１３に、モニタ部２の表示画像の一部分を切出し、適宜に回転、拡大及び縮小してなる印画像を得ることができ、前述した如く、プリペイドカード等、表面への印画が可能なカードに対応するように前記印画領域１３を設定し、この印画領域１３にカードを位置決め固定した場合、該カードヘの直接的な印画が可能となる。この際の印画内容は、ビデオメモリ４に格納された画像データから適宜に選択でき、またこの格納画像は、例えば、ビデオカメラにより撮像した画像をビデオメモリ４に入力することにより、個人又は個人に近いレベルにおいて無制限に得られる。更に、カード印画モードでの印画は、枚数の多少に拘わらず実現でき、小規模な広告媒体、個人的な記念品としてのプリペイドカードが安価に得られるようになる。
　【００２４】
　なお、以上の実施例においては、カード印画に際しての画像データを格納するために専用のメモリ（カードメモリ６）を設けたが、ビデオメモリ４の格納領域の一部をカード用画像データの格納のために用いてもよい。図９は、このように構成されたプリンタ装置のブロック図であり、カード印画用の画像データは、画像データ処理部５での前述した加工処理の後、ビデオメモリ４内部の所定の格納領域４０に戻され、ＣＰＵ３からの出力指令に従ってプリント部７に出力される構成となっている。
　【００２５】
　以上の如く実行されるカード印刷モードの印画に際しては、印刷対象となるカードを印画領域１３に正しく位置決め固定すべく、図１０ないし図１２に示すカード固定用台紙９を用いる。このカード固定用台紙９は、ビデオ印画の場合に用いる印画用紙１２と同一サイズを有し、前記印画領域１３に相当する位置に、印画対象となる定寸のカードＣを位置決め保持する保持部を備えてなる。また、この保持部は、その一部に、図１０ないし図１２に示したような、カードＣの外形に設けられた凹部と適合するような凸部を含んでその領域が規定されている。このようにすると、カードＣを保持部に配置する際における位置決めが行いやすく、カードの表裏を間違えることがない（すなわち、ここでは、印画されるべき面を取り違えることが無い）。
　【００２６】
　図１０に示すカード固定用台紙９は、前記保持部として、その表面への印刷により形成された枠９０を備えており、前記カードＣは、枠９０に整合するように前記表面に載置され、該位置に適宜に固定されるようになしてある。
　【００２７】
　図１１に示すカード固定用台紙９は、印画領域１３に対応する位置に、カードＣに対応する形状を有する適宜の深さの凹所９１を備えている。該凹所９１の底面は、粘着層９２となっており、カードＣは、凹所９１に整合せしめて嵌め込まれ、粘着層９２への粘着により保持される。この構成によれば、カードＣの位置決めが確実に行えるようになる。
　【００２８】
　図１２に示すカード固定用台紙９は、ベース層９３と、該ベース層９３上の粘着層９４と、該粘着層９４上に剥離可能に被着された表面層９５とを有する３層構造をなしており、表面層９５の一部をカードＣに対応する形状に切り欠いて粘着層９４を露出させ、カードＣ固定用の凹所９６を形成してなる。このカード固定用台紙９へのカードＣの固定は、図１１に示すものと同様に行われるが、印画済みのカードＣの取外しに際し、まず図１２（ｂ）に示す如く表面層９５を剥がし、粘着層９４の表面にカードＣの縁部を露出させ、この縁部の適宜位置に指等を引っ掛け、カードＣを引き剥がせばよく、取外し作業が容易となる効果がある。
　【００２９】
　なお、カード固定用台紙９の構成は、図１０ないし図１２に示すものに限らず、前述した構成のプリンタ装置によりカード印画が行われる印画領域１３に相当する位置に、定寸のカードＣを位置決め手段し、該位置に保持する機能を果たし得るものであれば、他の構成であってもよい。また、カード固定用台紙９は、前記保持部を除く他の表面への印画が可能に構成してあるのが望ましい。このことは、少なくともカードＣが固定される側の面を、印画が可能な紙にて構成することにより実現でき、この構成により、正規の印画に先立つ試し印画がカード固定用台紙９を利用して行えるようになり、この仕上がり状態を確認した後にカード印画を実施することにより、印画ミスの発生を未然に防止できる。
　【００３０】
　更に、カード固定用台紙９の表面上の所定位置には、識別マーク９ａが形成してある。この識別マーク９ａは、例えば、図示の如き黒丸印であればよく、プリンタ装置への装着時に該プリンタ装置側にて検知させ、印画モードの自動切換えを行わせるべく作用するものである。この自動切換えを可能としたプリンタ装置のブロック図を図１３に示す。
　【００３１】
　識別マーク９ａの検知は、カード固定用台紙９の装着時に該識別マーク９ａに対向するように配された識別マーク検知器１５により行われる。この識別マーク検知器１５は、プリンタ装置に装着されるカード固定用台紙９又は印画用紙１２の表面に向けて光を投射し、表面からの反射光を捉える構成とした光センサであればよく、この受光結果はＣＰＵ３に与えられている。
　【００３２】
　識別マーク９ａを備えたカード固定用台紙９が装着された場合、受光レベルが低くなるから、ＣＰＵ３においては、カード固定用台紙９及び印画用紙１２のいずれが装着されたか、換言すれば、カード印画及びビデオ印画のいずれが行われようとしているかを認識できることになり、この認識に従って印画モードの切換えを自動的に行わせることができる。即ちこの構成においては、操作部８におけるモード選択スイッチ８３が不要となる。
　【００３３】
　識別マーク９ａは、前述した黒丸印に限らず、適宜の形状及び色を有して印刷されたマークを使用でき、またカード固定用台紙９の一角を切り欠く等、他の形成態様を採用することもできる。更に、識別マーク検知器１５もまた前述した光センサに限らず、識別マーク９ａの形成態様に合わせて適宜の構成を採用し得る。
　【００３４】
　また識別マーク検知器１５による検知は、ＣＰＵ３における動作モードの自動切換えを目的とするものであるから、検知対象となる識別マークは、カード固定用台紙９に限らず、カード印画とビデオ印画とにおいて異なるもの、例えば、プリント部７での印画に用いるインクカートリッジに形成してもよい。なおこの場合、インクカートリッジに貼着されたメーカーのラベルを識別マークとして利用することができる。
　【００３５】
　【発明の効果】
　以上詳述した如く本発明に係るプリンタ装置は、ビデオメモリに格納された画像データを画面表示するモニタ部と、
第１の印画モードにおいて、
の任意の領域
内における一部の領域に予め設定される矩形状の第１の印画領域に印画し、第２の印画モードにおいて、前記表示画像全体を前記用紙の略全体の第２
前記第１の印画モードが指定された場合、
、前記第１の印画領域に相似形のカーソルを、任意の角度に回転、拡大、縮小、および
表示することにより印画範囲を
印画範囲
前記印画範囲画定手段により画定された印画範囲に対応する画像データを前記ビデオメモリから読み出し、座標回転、拡大、および／または縮小処理を行うことにより、前記第１の印画領域に印画可能に加工処理された画像を前記第１の印画領域に印画するものである
、選択された印画モードにおいて表示画面の印画を行うことができ、カーソルを任意の角度に回転して印画範囲の画定を行うことができるとともに任意の角度に回転したカーソルにより画定された画像を上記第１の印画領域に適切に印画することができる。
　
またビデオメモリに格納された画像データを画面表示するモニタ部と、該モニタ部の表示画像を所定サイズの用紙内における一部の領域に予め設定される印画領域に印画するプリント部と、前記印画領域に印刷する印画範囲を前記モニタ部の表示画面上に移動可能に画定する画定手段とを備え、前記画定手段の前記画面上における表示または非表示の切換をプリント部に含まれるインクカートリッジに設けられた識別マークの有無に基づいて行うように構成したものであるので、モニタ部の表示画像の任意の部分を取り出して印刷することが可能となり、インクカートリッジのプリンタ装置への装着時に該プリンタ装置側にてインクカートリッジに設けられた識別マークを検知させ、画定手段の表示画面上における表示または非表示の自動切換えを行うことができる。
　また、本発明に係るカード固定用台紙は、プリンタ装置に接続されるモニタ部の表示画面上に移動可能に印画範囲を画定する画定手段の前記表示画面上における表示または非表示の切換を行うための識別マークと、前記プリンタ装置に用いられる所定サイズの用紙よりも小なるサイズのカードを前記用紙の印画領域に対応する位置に配置するための保持部とを有するので、プリンタ装置に装着されたカード固定用台紙の識別マークの有無により表示画面上への画定手段の表示の切換を自動に行わせることができるので、使用者の利便性を高めることができる。
【図面の簡単な説明】
　【図１】　本発明に係るプリンタ装置の一実施例を示すブロック図である。
　【図２】　本発明に係るプリンタ装置の外観斜視図である。
　【図３】　本発明に係るプリンタ装置の操作部の構成例を示す正面図である。
　【図４】　カード印画モードでのモニタ部のカーソル表示例を示す正面図である。
　【図５】　カード印画モードでのモニタ部のカーソル表示例を示す正面図である。
　【図６】　カード印画モードでのモニタ部のカーソル表示例を示す正面図である。
　【図７】　カード印画モードでのモニタ部のカーソル表示例を示す正面図である。
　【図８】　カード印画モードでの印画状態を示す平面図である。
　【図９】　本発明に係るプリンタ装置の他の実施例を示すブロック図である。
　【図１０】　本発明に係るカード固定用台紙の斜視図である。
　【図１１】　本発明に係るカード固定用台紙の斜視図である。
　【図１２】　本発明に係るカード固定用台紙の斜視図である。
　【図１３】　本発明に係るプリンタ装置の他の実施例を示すブロック図である。
　【符号の説明】
１　本体部
２　モニタ部
３　ＣＰＵ
４　ビデオメモリ
５　画像データ処理部
６　カードメモリ
７　プリント部
８　操作部
９　カード固定用台紙